(57)【要約】【課題】より簡単かつ確実に電話使用度数のチャージを行うことができ、しかも、利用の便がよりよいサービスを提供可能な電話使用度数チャージシステムおよびその管理者サーバを提供する。【解決手段】管理者サーバ３の処理サーバ３３は、ウェブページにおけるＩＤおよび電話番号の入力を受けて、当該ＩＤの認証処理を行い、認証されれば、当該ＩＤに設定された電話使用度数に対応する電話使用度数が設定されたＰＩＮコードをデータベースサーバから読み出す。そして、処理サーバ３３は、データベースサーバ３１に対し、読み出されたＰＩＮコードを入力されたＩＤおよび電話番号に関連付けて記憶させる。さらに、処理サーバ３３は、ＰＩＮコードを発行した通信事業者のサーバ４に対し、読み出したＰＩＮコードおよび入力された電話番号を含む登録情報を送信する。【選択図】図１
2007142623.tif 000002
【特許請求の範囲】
【請求項１】
ネットワークを介してユーザ端末と管理者サーバとが通信可能に構成され、
管理者サーバは、
通信事業者が発行する所定の電話使用度数が設定されたＰＩＮコードを記憶するデータベースサーバと、
所定の電話使用度数が設定され、管理者が発行するＩＤとともに、使用する電話機の電話番号の入力をユーザがアクセスすることにより行うことができるウェブページを記憶するウェブサーバと、
ウェブページ上で入力された前記ＩＤを認証し、認証されたＩＤに設定された電話使用度数に対応する電話使用度数が設定されたＰＩＮコードを読み出し、データベースサーバに前記ＩＤおよび前記電話番号を当該ＰＩＮコードと関連付けて記憶させ、ＰＩＮコードを発行した通信事業者に対し、当該ＰＩＮコードおよび前記電話番号を含む登録情報を送信する処理サーバとを具備することを特徴とする電話使用度数チャージシステム。
【請求項２】
前記ネットワークを介して管理者サーバと通信可能に構成された通信事業者サーバを含み、
通信事業者サーバは、処理サーバから送信された登録情報を受信し、当該登録情報に含まれるＰＩＮコードを認証し、登録情報に含まれる電話番号に対し、登録情報に含まれるＰＩＮコードに設定された電話使用度数分の電話の使用を許可し、電話の使用許可の結果情報を処理サーバに送信し、
処理サーバは、前記結果情報を前記データベースサーバに記憶させ、前記電話番号に対して前記ＩＤに設定された電話使用度数分の使用許可の結果を前記ユーザ端末に送信することを特徴とする請求項１記載の電話使用度数チャージシステム。
【請求項３】
前記通信事業者サーバは、電話の使用許可の結果情報とともに、当該許可された電話使用度数分の有効期限情報を送信することを特徴とする請求項２記載の電話使用度数チャージシステム。
【請求項４】
管理者サーバは、ユーザ端末から送信された空メールを受信することにより、前記ウェブページのＵＲＬがリンク表示された誘導メールを返信するメール送受信サーバを具備することを特徴とする請求項１〜３のいずれかに記載の電話使用度数チャージシステム。
【請求項５】
通信事業者が発行する所定の電話使用度数が設定されたＰＩＮコードを記憶するデータベースサーバと、
所定の電話使用度数が設定され、管理者が発行するＩＤとともに使用する電話機の電話番号の入力をユーザがアクセスすることにより行うことができるウェブページを記憶するウェブサーバと、
ウェブページ上で入力された前記ＩＤを認証し、認証されたＩＤに設定された電話使用度数に対応する電話使用度数が設定されたＰＩＮコードを読み出し、前記ＩＤおよび前記電話番号とともに当該ＰＩＮコードをデータベースサーバに記憶させ、ＰＩＮコードを発行した通信事業者に対し、当該ＰＩＮコードおよび前記電話番号を含む登録情報を送信する処理サーバとを具備することを特徴とする電話使用度数チャージシステムの管理者サーバ。
【発明の詳細な説明】
【技術分野】
【０００１】
本発明は、電話使用度数チャージシステムおよびその管理者サーバに関する。
【背景技術】
【０００２】
国内外を問わず、プリペイドカードを用いて電話使用度数のチャージを行うことにより、所定度数の通話等が可能となるシステムが公知である。
【０００３】
このようなシステムにおいては、所定の通信事業者が発行するＰＩＮコード（ＰＩＮナンバやカード番号等とも称される）が記載されたカードを購入等により入手し、チャージしたい電話機から通信事業者の所定の番号に電話して、音声ガイダンス等に基づいて前記ＰＩＮコードを入力することにより当該電話番号について所定の電話使用度数がチャージされるのが一般的である。
【発明の開示】
【発明が解決しようとする課題】
【０００４】
しかし、このような従来のシステムにおいては、以下のような問題があった。すなわち、ａ）電話中にカード番号を入力するため、入力したカード番号が確認できない場合があること、ｂ）カード番号の押し間違い、音声システムのタイミングのずれによりチャージがスムーズに行われない場合があること、ｃ）カード自体が金券として取り扱われるのを防止する観点から、通信事業者が発行するＰＩＮコードには有効期限が設けられるのが一般的であり、未使用でも（チャージをしなくても）有効期限経過後はチャージできなくなるため、料金を支払っても使用できない状態が生じ得、ユーザの利用の便がよくない場合があること、ｄ）ＰＩＮコードに有効期限が設けられる以上、そのカード自体にも有効期限を設ける必要があり、設定が煩雑となること、といった問題がある。
【０００５】
本発明は、かかる従来技術の問題点を解決するべくなされたもので、より簡単かつ確実に電話使用度数のチャージを行うことができ、しかも、利用の便がよりよいサービスを提供可能な電話使用度数チャージシステムおよびその管理者サーバを提供することを目的とする。
【課題を解決するための手段】
【０００６】
本発明に係る電話使用度数チャージシステムは、ネットワークを介してユーザ端末と管理者サーバとが通信可能に構成され、管理者サーバは、通信事業者が発行する所定の電話使用度数が設定されたＰＩＮコードを記憶するデータベースサーバと、所定の電話使用度数が設定され、管理者が発行するＩＤとともに、使用する電話機の電話番号の入力をユーザがアクセスすることにより行うことができるウェブページを記憶するウェブサーバと、ウェブページ上で入力された前記ＩＤを認証し、認証されたＩＤに設定された電話使用度数に対応する電話使用度数が設定されたＰＩＮコードを読み出し、データベースサーバに前記ＩＤおよび前記電話番号を当該ＰＩＮコードと関連付けて記憶させ、ＰＩＮコードを発行した通信事業者に対し、当該ＰＩＮコードおよび前記電話番号を含む登録情報を送信する処理サーバとを具備することを特徴とするものである。
【０００７】
上記構成の電話使用度数チャージシステムにおいて、管理者サーバは、ユーザ端末と通信可能に構成される。管理者サーバのデータベースサーバには、通信事業者が発行する所定の電話使用度数が設定されたＰＩＮコードが記憶される。また、管理者サーバのウェブサーバには、ウェブページが記憶されており、ユーザは、所定の電話使用度数が設定され、管理者が発行するＩＤを入手し、ユーザ端末を介して当該ウェブページにアクセスすることにより、前記ＩＤとともに、使用する電話機の電話番号の入力を行うことができる。
【０００８】
管理者サーバの処理サーバは、ウェブページにおけるＩＤおよび電話番号の入力を受けて、当該ＩＤの認証処理を行い、認証されれば、当該ＩＤに設定された電話使用度数に対応する電話使用度数が設定されたＰＩＮコードをデータベースサーバから読み出す。そして、処理サーバは、データベースサーバに対し、読み出されたＰＩＮコードを入力されたＩＤおよび電話番号に関連付けて記憶させる。さらに、処理サーバは、ＰＩＮコードを発行した通信事業者に対し、読み出したＰＩＮコードおよび入力された電話番号を含む登録情報を送信する。こうして、登録情報を受信した通信事業者により、当該登録情報に基づいて、ＰＩＮコードに設定された電話使用度数が前記電話番号に対してチャージされる。
【０００９】
このように、ユーザ端末から管理者のウェブページにＩＤおよびチャージする電話番号を入力することによりチャージを行うため、入力時に入力するＩＤ等を目視により確認することができ、入力ミスを防ぐことができる。また、ウェブページ上で入力することにより、入力タイミングに左右されることなく簡単かつスムーズにチャージ処理を行うことができる。
【００１０】
さらに、直接的に金券として扱われるＰＩＮコードは管理者が管理することとし、ユーザには管理者が設定したＰＩＮコードとは別のＩＤを発行することにより、発行されるＩＤ自体が金券として扱われることを防止することができるとともに、ＰＩＮコード自体に有効期限を設ける必要性もなくなる（必要であればチャージした時点から有効期限を設ければよい）ため、ユーザは管理者発行のＩＤを入手してから有効期限を気にすることなく、所定の電話使用度数のチャージをいつでも行うことができる。しかも、発行されるＩＤが金券として扱われないため、当該ＩＤを付した各種の景品やノベルティとして配布することにより広告宣伝等の各種サービスの用に供することができる。
【００１１】
したがって、より簡単かつ確実に電話使用度数のチャージを行うことができ、しかも、利用の便がよりよいサービスを提供することができる。
【００１２】
好ましくは、前記ネットワークを介して管理者サーバと通信可能に構成された通信事業者サーバを含み、通信事業者サーバは、処理サーバから送信された登録情報を受信し、当該登録情報に含まれるＰＩＮコードを認証し、登録情報に含まれる電話番号に対し、登録情報に含まれるＰＩＮコードに設定された電話使用度数分の電話の使用を許可し、電話の使用許可の結果情報を処理サーバに送信し、処理サーバは、前記結果情報を前記データベースサーバに記憶させ、前記電話番号に対して前記ＩＤに設定された電話使用度数分の使用許可の結果を前記ユーザ端末に送信するように構成される。
【００１３】
この場合、通信事業者サーバは、管理者サーバと通信可能に構成される。通信事業者サーバが処理サーバから送信された登録情報を受信すると、当該登録情報に含まれるＰＩＮコードの認証処理が行われる。ＰＩＮコードが認証されると、登録情報に含まれる電話番号に対し、登録情報に含まれるＰＩＮコードに設定された電話使用度数分の電話の使用が許可（電話番号にチャージ）される。電話の使用許可の結果情報は、処理サーバに送信される。処理サーバが結果情報を受信すると、当該結果情報がデータベースサーバに記憶されるとともに、該当電話番号に対する前記ＩＤに設定された電話使用度数分の使用許可の結果（チャージ結果）がユーザ端末に送信される。
【００１４】
このように、通信事業者サーバと管理者サーバとの間で電話使用度数のチャージ処理が自動で行われるため、迅速なチャージ手続を行うことができるとともに、管理者からユーザに対してチャージ結果が通知されるため、ユーザは、チャージ手続を円滑に行うことができる。
【００１５】
好ましくは、前記通信事業者サーバは、電話の使用許可の結果情報とともに、当該許可された電話使用度数分の有効期限情報を送信するように構成される。
【００１６】
この場合、通信事業者サーバから処理サーバに対してチャージ結果に基づいて有効期限が送信される。したがって、電話使用度数に有効期限を設定する場合でも、ユーザがチャージ手続を行い、実際に電話使用が可能となった後に有効期限が設定されることとなり、ユーザの利用の便を阻害することなく、しかも通信事業者による有効期限の設定が可能となる。
【００１７】
好ましくは、管理者サーバは、ユーザ端末から送信された空メールを受信することにより、前記ウェブページのＵＲＬがリンク表示された誘導メールを返信するメール送受信サーバを具備するように構成される。
【００１８】
この場合、ユーザが予め管理者からＩＤを入手し、管理者に空メールを送信することにより、管理者サーバからユーザ端末に、ＩＤおよび使用する電話番号を入力するためのウェブページのＵＲＬがリンク表示された誘導メールが送信される。これにより、ユーザは、当該リンク表示を選択することにより、前記ウェブページに容易にアクセスすることができ、より容易にチャージ手続を行うことができる。
【００１９】
また、本発明に係る電話使用度数チャージシステムの管理者サーバは、通信事業者が発行する所定の電話使用度数が設定されたＰＩＮコードを記憶するデータベースサーバと、ユーザがアクセスすることにより、所定の電話使用度数が設定され、管理者が発行するＩＤとともに使用する電話機の電話番号の入力を行うことができるウェブページを記憶するウェブサーバと、ウェブページ上で入力された前記ＩＤを認証し、認証されたＩＤに設定された電話使用度数に対応する電話使用度数が設定されたＰＩＮコードを読み出し、前記ＩＤおよび前記電話番号とともに当該ＰＩＮコードをデータベースサーバに記憶させ、ＰＩＮコードを発行した通信事業者に対し、当該ＰＩＮコードおよび前記電話番号を含む登録情報を送信する処理サーバとを具備することを特徴とするものである。
【発明の効果】
【００２０】
本発明に係る電話使用度数チャージシステムおよびその管理者サーバによれば、ユーザ端末から管理者のウェブページにＩＤおよびチャージする電話番号を入力することによりチャージを行うため、入力時に入力するＩＤ等を目視により確認することができ、入力ミスを防ぐことができる。また、ウェブページ上で入力することにより、入力タイミングに左右されることなく簡単かつスムーズにチャージ処理を行うことができる。
【００２１】
さらに、直接的に金券として扱われるＰＩＮコードは管理者が管理することとし、ユーザには管理者が設定したＰＩＮコードとは別のＩＤを発行することにより、当該ＩＤ自体が金券として扱われることを防止することができるとともに、ＰＩＮコード自体に有効期限を設ける必要性もなくなる（必要であればチャージした時点から有効期限を設ければよい）ため、ユーザは管理者発行のＩＤを入手してから有効期限を気にすることなく、所定の電話使用度数のチャージをいつでも行うことができる。しかも、発行されるＩＤが金券として扱われないため、当該ＩＤを付した各種の景品やノベルティとして配布することにより広告宣伝等の各種サービスの用に供することができる。
【００２２】
したがって、より簡単かつ確実に電話使用度数のチャージを行うことができ、しかも、利用の便がよりよいサービスを提供することができる。
【発明を実施するための最良の形態】
【００２３】
以下、添付図面を参照しつつ、本発明を実施するための最良の形態について説明する。図１は本発明の一実施形態に係る電話使用度数チャージシステムのシステム構成図を示す図である。
【００２４】
本実施形態に係る電話使用度数チャージシステムは、図１に示すように、インターネット等のネットワーク１を介して、ユーザ端末２と管理者サーバ３とが通信可能に構成され、管理者サーバ３と通信事業者（いわゆる通信キャリア）サーバ４とが通信可能に構成される。
【００２５】
管理者サーバ３は、通信事業者が発行する所定の電話使用度数（例えば、１０００円分（１０００度数）、１０分間等、適宜設定可能である）が設定されたＰＩＮコードを記憶するデータベースサーバ３１と、所定の電話使用度数が設定され、管理者が発行するＩＤとともに、使用する電話機の電話番号の入力をユーザがアクセスすることにより行うことができるウェブページを記憶するウェブサーバ３２と、ウェブページ上で入力された前記ＩＤを認証し、認証されたＩＤに設定された電話使用度数に対応する電話使用度数が設定されたＰＩＮコードを読み出し、データベースサーバ３１に前記ＩＤおよび前記電話番号を当該ＰＩＮコードと関連付けて記憶させ、ＰＩＮコードを発行した通信事業者に対し、当該ＰＩＮコードおよび前記電話番号を含む登録情報を送信する処理サーバ３３とを具備する。
【００２６】
また、管理者サーバ３は、ユーザ端末２から送信された空メールを受信することにより、前記ウェブページのＵＲＬがリンク表示された誘導メールを返信するメール送受信サーバであるＳＭＴＰサーバ３４を具備する。
【００２７】
さらに、前記ネットワーク１を介して管理者サーバ３と通信可能に構成された通信事業者サーバ４を含み、通信事業者サーバ４は、処理サーバ３３から送信された登録情報を受信し、当該登録情報に含まれるＰＩＮコードを認証し、登録情報に含まれる電話番号に対し、登録情報に含まれるＰＩＮコードに設定された電話使用度数分の電話の使用を許可し、電話の使用許可の結果情報を処理サーバ３３に送信し、処理サーバ３３は、前記結果情報を前記データベースサーバ３１に記憶させ、前記電話番号に対して前記ＩＤに設定された電話使用度数分の使用許可の結果を前記ユーザ端末２に送信するように構成される。
【００２８】
なお、本実施形態の管理者サーバ３は、データベースサーバ３１、ウェブサーバ３２、処理サーバ３３およびＳＭＴＰサーバ３４をそれぞれ別個のサーバとして記載しているが、各サーバの役割を兼任する１または複数のサーバからなることとしてもよい。また、各サーバがサーバ間およびユーザ端末２と通信可能であれば、その設置場所（アドレス）、管理者の別（複数の管理者で運営する場合等）は問わない。また、本実施形態に使用されるサーバは、一般的なサーバ（コンピュータ）を用いて実現可能である。また、ユーザ端末２は、一般的なインターネット接続機能を有する携帯電話やパーソナルコンピュータ等で実現可能であり、特別なソフトウェアも必要ではない。
【００２９】
上記構成の電話使用度数チャージシステムにおいて、管理者サーバ３は、ユーザ端末２と通信可能に構成される。管理者サーバ３のデータベースサーバ３１には、予め通信事業者が発行する所定の電話使用度数が設定されたＰＩＮコードが記憶される。また、管理者サーバ３のウェブサーバ３２には、ウェブページが記憶されており、ユーザは、所定の電話使用度数が設定され、管理者が発行するＩＤを入手し、ユーザ端末２を介して当該ウェブページにアクセスすることにより、前記ＩＤとともに、使用する電話機の電話番号の入力を行うことができる。
【００３０】
ここで、本実施形態におけるＩＤの発行態様について説明する。図２は本実施形態におけるＩＤが付されたショップカードの図である。図２に示すように、例えば、店内に置いたり、街頭で配布して自己の店を紹介するカード（または名刺）６に管理者（当該店と同一であっても店が委託した別の者でもよい）が発行したＩＤ６１と、管理者のメールアドレス６２とが記載される。
【００３１】
ユーザが店でＩＤ６１が記載されたショップカード６を入手した場合、自己の携帯電話等から管理者のメールアドレス宛てに空メールを送信する（図１の（１））ことにより、管理者サーバ３からユーザ端末２に、ＩＤおよび使用する電話番号を入力するためのウェブページのＵＲＬがリンク表示された誘導メールが送信される（図１の（２））。これにより、ユーザは、当該リンク表示を選択することにより、チャージ手続を行うためのウェブページに容易にアクセスすることができる。
【００３２】
なお、図２に示すように、ショップカード６に管理者のウェブページアクセス用の２次元コード６３を記載することとしてもよい。この場合、２次元コードが読み取り可能な携帯電話等を用いて２次元コードを読み込むことにより、管理者のウェブページへのアクセスをより容易に行うことができる。
【００３３】
さて、ウェブページにアクセスしたユーザは、ユーザ端末２を用いて当該ウェブページにおいてショップカード６に記載されているＩＤおよびチャージする電話機６の電話番号を入力する（図１の（３））。なお、チャージする電話機の電話番号は、入力したユーザ端末２が有する電話番号（携帯電話等）であってもよいし、図１に示すように、全く別の電話機６の電話番号であってもよい。
【００３４】
ＩＤおよびチャージする電話番号が入力されるとウェブサーバ３２は処理サーバ３３にＩＤおよびチャージする電話番号を送信する（図１の（４））。管理者サーバ３の処理サーバ３３は、ウェブページにおけるＩＤおよび電話番号の入力を受けて、当該ＩＤの認証処理を行い、認証されれば、当該ＩＤに設定された電話使用度数に対応する電話使用度数が設定されたＰＩＮコードをデータベースサーバ３１から読み出す（図１の（５））。そして、処理サーバ３３は、データベースサーバ３１に対し、読み出されたＰＩＮコードを入力されたＩＤおよび電話番号に関連付けて記憶させる（図１の（６））。さらに、処理サーバ３３は、ＰＩＮコードを発行した通信事業者サーバ４に対し、読み出したＰＩＮコードおよび入力された電話番号を含む登録情報を送信する（図１の（７））。こうして、登録情報を受信した通信事業者により、当該登録情報に基づいて、ＰＩＮコードに設定された電話使用度数が前記電話番号を有する電話機６に対してチャージされる。
【００３５】
より具体的には、通信事業者サーバ４が処理サーバ３３から送信された登録情報を受信すると、当該登録情報に含まれるＰＩＮコードの認証処理が行われる。ＰＩＮコードが認証されると、登録情報に含まれる電話番号に対し、登録情報に含まれるＰＩＮコードに設定された電話使用度数分の電話の使用が許可（電話番号にチャージ）される（図１の（８））。電話の使用許可の結果情報は、処理サーバに送信される（図１の（９））。処理サーバ３３が結果情報を受信すると、当該結果情報がデータベースサーバ（図１の（１０））に記憶されるとともに、該当電話番号に対する前記ＩＤに設定された電話使用度数分の使用許可の結果（チャージ結果）がＳＭＴＰサーバ３４よりユーザ端末２に送信される（図１の（１１），（１２））。
【００３６】
以上のように、ユーザ端末２から管理者のウェブページにＩＤおよびチャージする電話番号を入力することによりチャージを行うため、入力時に入力するＩＤ等を目視により確認することができ、入力ミスを防ぐことができる。また、ウェブページ上で入力することにより、入力タイミングに左右されることなく簡単かつスムーズにチャージ処理を行うことができる。
【００３７】
さらに、直接的に金券として扱われるＰＩＮコードは管理者が管理することとし、ユーザには管理者が設定したＰＩＮコードとは別のＩＤを発行することにより、当該ＩＤ自体が金券として扱われることを防止することができるとともに、ＰＩＮコード自体に有効期限を設ける必要性もなくなる（必要であればチャージした時点から有効期限を設ければよい）ため、ユーザは管理者発行のＩＤを入手してから有効期限を気にすることなく、所定の電話使用度数のチャージをいつでも行うことができる。しかも、発行されるＩＤが金券として扱われないため、当該ＩＤを付した各種の景品やノベルティとして配布することにより広告宣伝等の各種サービスの用に供することができる。
【００３８】
また、本実施形態においては、通信事業者サーバ４と管理者サーバ３との間で電話使用度数のチャージ処理が自動で行われるため、迅速なチャージ手続を行うことができるとともに、管理者からユーザに対してチャージ結果が通知されるため、ユーザは、チャージ手続を円滑に行うことができる。
【００３９】
本実施形態において、前記通信事業者サーバ４は、図１の（７）において電話使用度数のチャージ時に当該チャージ分の電話使用に有効期限を設けるとともに、図１の（８）において電話の使用許可の結果情報とともに、当該許可された電話使用度数分の有効期限情報を送信するように構成される。
【００４０】
この場合、通信事業者によりチャージした電話使用度数について有効期限が設定される。そして、通信事業者サーバ４から処理サーバ３３に対してチャージ結果に基づいて有効期限が送信される。したがって、このように電話使用度数に有効期限を設定する場合であっても、ユーザがチャージ手続を行い、実際に電話使用が可能となった後に有効期限が設定されることとなり、ユーザの利用の便を阻害することなく、しかも通信事業者による有効期限の設定が可能となる。
【００４１】
以上、本発明に係る実施の形態を説明したが、本発明は上記実施形態に限定されるものではなく、その趣旨を逸脱しない範囲内で種々の改良、変更、修正が可能である。
【図面の簡単な説明】
【００４２】
【図１】本発明の一実施形態に係る電話使用度数チャージシステムのシステム構成図を示す図である。
【図２】本実施形態におけるＩＤが付されたショップカードの図である。
【符号の説明】
【００４３】
１  ネットワーク
２  ユーザ端末
３  管理者サーバ
３１  データベースサーバ
３２  ウェブサーバ
３３  処理サーバ
３４  ＳＭＴＰ（メール送受信）サーバ
４  通信事業者サーバ
５  チャージ対象の（電話番号の）電話機
【図１】
2007142623.tif 000003
【図２】
2007142623.tif 000004